(57)【要約】      （修正有）【課題】一般家屋内や階段などの狭小空間でも方向転換が容易で、傷病者や、要介護者、老人などの歩行困難者を安全かつ迅速に搬送できる、使用方法が簡易でコストの小さい椅座位担架を提供する。【解決手段】間にシートの張られた２本の支持棒を屈曲させて座面と背もたれを形成する。シートはシートベルトを有する。【選択図】図１
0003168327.tif 000002
【実用新案登録請求の範囲】
【請求項１】
一端をシートに固定するシートベルトを有する布状のシートを間に張った担架の、２本の支持棒を中程からくの字状に屈曲させることで座面と背もたれを形成し、前記支持棒の一端をくの字状に屈曲させたのとは反対方向に屈曲させることを特徴とする椅座位担架。  
【考案の詳細な説明】
【技術分野】
【０００１】
本考案は、傷病者や体の不自由な人などを搬送する担架に関するものである。
【背景技術】
【０００２】
一般に、医療行為が必要な傷病者、要介護者など、自力で歩行できない人を搬送する場合には、担架やストレッチャーなど被搬送者を仰臥位すなわち横に寝かせた体勢で搬送する器具が使用される。しかし、屋内や乗り物内などの狭小な空間や、狭小なうえに高低差のある階段などでは、一般的担架では長さがありすぎることが方向転換を困難にし円滑に搬送させるという観点からは短所となる。
【０００３】
階段で使用できる搬送用器具のアイデアとしては階段避難用座式降下器具（特許文献１参照）が存在し、被搬送者を椅座位すなわち腰掛けさせた体勢で搬送できる簡易担架（特許文献２参照）も存在するが、コストも大きく広く普及させることは難しいと思われる。また、このような用途に使用される用具は事故や災害の現場からの避難といった迅速さが要求される緊急時に使用されることも多いため、使用方法は初めて使う者であっても直感的に理解できるよう簡易なものでなければならない。
【先行技術文献】
【特許文献】
【０００４】
【特許文献１】特開２００７−２１０５２５号公報
【特許文献２】特開２００３−３８５７５号公報
【考案の概要】
【考案が解決しようとする課題】
【０００５】
本考案は、特に、さほど重篤な状況にない傷病者や、要介護者、老人など、歩行困難者
を対象とする。彼ら被搬送者を一般家屋など狭小な空間の中で移動させ、列車や乗用車な
どの乗り物に乗降させ、階段を昇降させ、緊急時には避難させる、構造が単純かつ使用方
法が簡易で安全でコストの小さい椅座位担架を提供することを課題とする。
【課題を解決するための手段】
【０００６】
以上の課題を解決するために、請求項１の考案に係る椅座位担架は、一端をシートに固定するシートベルトを有する布状のシートを間に張った、担架の２本の支持棒を中程か
らくの字状に屈曲させることで座面と背もたれを形成し、前記支持棒の一端をくの字状に
屈曲させたのとは反対方向に屈曲させることを特徴とする。
【考案の効果】
【０００７】
請求項１の考案によれば、支持棒を屈曲させて座面を形成したことにより被搬送者を椅
座位の体勢で搬送させる。また、シートに取り付けられたシートベルトにより被搬送者の体を担架に固定させる。
【０００８】
その結果、本考案によれば以下のような効果が期待できる。
担架自体の長さが小さいため方向転換が容易であり、収納した被搬送者を一般家屋など狭小な空間の中で移動させることができる。鉄道車両、バス、乗用車、旅客機、客船など乗り物の乗降を支援するほか、特に階段を昇降させる際には大きな効力を発揮する。
【０００９】
その他、一般家庭、学校等公共施設、商業施設、劇場、公共交通機関といった場所に常備して急病人が発生した際などの緊急時に使用させることも可能であり、災害時においては特に災害弱者と呼ばれる避難者を搬送する際に役立つ防災器具ともなる。
【００１０】
該椅座位担架は、２本の支持棒の間の幅が固定されていないため被搬送者の重量によりシートが適度にたわみ被搬送者の体を包み込んで適合させることが可能であり、加えてシートベルトを備えたことにより、転落する恐れが無く安全な搬送が保証される。
【００１１】
さらに、構造が単純で、生産コストも小さく、使用方法も初めて使用する者にも直感的に理解できるほど簡易であり、安全性と相まって、広く一般に普及させることが可能と想定される。
【図面の簡単な説明】
【００１２】
【図１】本考案の実施例を示した斜視図である。
【図２】本考案を用いずに一般的担架で被搬送者を階段で降ろす際のイメージ図である。
【図３】本考案を用いて被搬送者を階段で降ろす際のイメージ図である。
【考案を実施するための形態】
【００１３】
以下、本考案実施するための形態を、図に基づいて説明する。
図１は本考案を実施するための形態の一例を示す斜視図、図２ならびに図３は本考察の形態に由来する使用の利点を示すイメージ図である。
【００１４】
請求項１に関して、該椅座位担架（１１）は一般的担架（１０）と同様に支持棒（１）とシート（２）を有する。間にシート（２）が張られた２本の支持棒（１）を中程からくの字型に屈曲させることにより座面（３）と背もたれ（４）を形成させ、さらに、支持棒（１）の一端をくの字型に屈曲させたのとは反対側に屈曲させた形態となる。
【００１５】
支持棒（１）の素材については鉄やアルミなどの金属製のパイプが考えられるが、軽く剛性がある繊維強化プラスチックなども望ましい材質である。シート（２）や後述するシートベルト（５）の素材については一般的担架（１０）に使用されるのと同様、布や、布と同程度以上に強靭なビニール樹脂が考えられ、支持棒（１）ならびにシート（２）、またシートベルト（５）に関しては素材を特定しない。
【００１６】
各部位の寸法比率等に関しても対象に適合するよう自由に製造することが可能である。特に、サイズと支持棒（１）を屈曲させる角度を自家用乗用車の座席に収まるように製造することにより、該椅座位担架（１１）に被搬送者（８）を収納したまま狭い車内まで導き入れることが可能になり、その乗降を支援する機能を持たせるようにすることもできる。
【００１７】
また、支持棒（１）の両端４か所は搬送者（７）が握る把っ手（６）となるため樹脂製のグリップを装着するなど握りやすくするような加工がなされることが望ましい。
【００１８】
シート（２）には転落を防ぐため被搬送者（８）を固定するシートベルト（５）が頑丈に取り付けられる。対となるシートベルト（５）同士を結合させる手段の一例としてその両端に面ファスナーを備えるといった方法が考えられるが、同程度以上に簡易かつ確実な結合手段であれば必ずしもその方法に限定されなくとも良い。
【００１９】
さらに、シートベルト（５）の位置と数も図で示した通りでなくとも良く、例えば、被搬送者（８）の上半身と下半身をそれぞれ固定するために背もたれ（４）と座面（３）にそれぞれ１対づつのシートベルト（５）を備えれば、簡易さは損なわれるが、より安全な搬送を保証させることも可能である。
【００２０】
次に、本考案に係る椅座位担架の使用方法について、被搬送者（８）を階段（９）で降ろす際の状況を例に挙げ説明する。もちろん、該椅座位担架（１１）は広い空間や段差の無い平地でも支障無く使用することが可能であるが、狭小かつ高低差のある階段（９）を用いて歩行困難者を昇降させる際の困難さはその介添人が良く直面する問題であると同時に、該椅座位担架（１１）の長所が最も発現する場面でもある。
【００２１】
図２は従来の一般的担架（１０）を用いて被搬送者（８）を階段（９）で降ろす様子を示したイメージ図である。階段（９）では一般的担架（１０）を用いる場合前後の高低差により搬送者（７）が被搬送者（８）を安定した仰臥位に体勢を保たせることが難しくなる。さらに、階段（９）の多くは曲がり角を有するが、直線状の支持棒を備えるため長さがある一般的担架（１０）では方向転換が困難である。一般的担架（１０）では安全かつ円滑に階段で被搬送者（８）を降ろすことができない。
【００２２】
対して、図３は本考案を用いて被搬送者（８）を階段（９）で降ろす様子を示したイメージ図であるが、該椅座位担架（１１）は被搬送者（８）に椅座位をとらせるうえシートベルトで固定するため、多少搬送者（７）が体勢を変化させてしまった場合でも安定したストレスの無い状態で被搬送者（８）を移動させることができる。また、２本の支持棒（１）をそれぞれ２か所で屈曲させてあるため長さが小さく、曲がり角を有する階段（９）であっても方向転換が容易である。
【００２３】
すなわち、階段（９）で被搬送者（８）を降ろす際に該椅座位担架（１１）を用いることは、一般的担架（１０）に比して安全かつ円滑な手段といえる。また図３において、２人の搬送者（７）が逆向きになることで進行方向を反転させることができ、逆に被搬送者（８）を階段（９）で昇らせる際にも同様に安全かつ円滑に移動させることができる。
【００２４】
このように、該椅座位担架（１１）の使用の際には、搬送者（７）は被搬送者（８）の前後に位置取り進行方向を向いて歩行できるため、搬送者（８）が被搬送者（９）の左右に位置取って横歩きしなければならない先行技術（特許文献２参照）に比しても、横幅をとらず、搬送者（８）の円滑かつ迅速な搬送を保証する。
【符号の説明】
【００２５】
１          支持棒
２         シート
３          座面
４          背もたれ
５          シートベルト
６          把っ手
７          搬送者
８          被搬送者
９          階段
１０        一般的担架
１１            椅座位担架
【図１】
0003168327.tif 000003
【図２】
0003168327.tif 000004
【図３】
0003168327.tif 000005